(57)【要約】【課題】野菜等の乾燥を防ぎつつ収納性も確保できる野菜室を備えた冷蔵庫を提供することを目的とする。【解決手段】冷蔵庫１は、前面を開口した断熱箱体１０内に設けられた野菜室１７と、野菜室１７に配置される野菜室ケース２０と、を備え、野菜室ケース２０は、上面が開口された下段ケース３０と、下段ケース３０上の一部に重ねられる上段ケース４０と、を有しており、下段ケース３０は、重ねられた上段ケース４０により上面が閉塞される奥側空間３３と、奥側空間３３の前面側に位置し、重ねられた上段ケース４０により上面が閉塞されず当該上面に開口部４１が形成される手前側空間３２と、を備えており、上段ケース４０には、開口部４１を開閉する蓋４２が取り付けられている。【選択図】図３
2015021693.tif 000002
【特許請求の範囲】
【請求項１】
前面を開口した断熱箱体内に設けられた野菜室と、
前記野菜室に配置される野菜室ケースと、を備え、
前記野菜室ケースは、上面が開口された下段ケースと、前記下段ケース上の一部に重ねられる上段ケースと、を有しており、
前記下段ケースは、重ねられた前記上段ケースにより上面が閉塞される奥側空間と、前記奥側空間の前面側に位置し、重ねられた前記上段ケースにより上面が閉塞されず当該上面に開口部が形成される手前側空間と、を備えており、
前記上段ケースには、前記開口部を開閉する蓋が取り付けられていることを特徴とする冷蔵庫。
【請求項２】
前記奥側空間と前記手前側空間との間は、前記下段ケースと一体成形され前記下段ケースの底面部に設けられたリブによって区画されていることを特徴とする請求項１に記載の冷蔵庫。
【請求項３】
前記開口部及び前記蓋は、前記野菜室ケースの左右方向の一部に設けられていることを特徴とする請求項１又は請求項２に記載の冷蔵庫。
【請求項４】
前記蓋は、前記上段ケースに対して前後方向にスライド可能であり、前記上段ケースと共に、上面が開口された容器を構成することを特徴とする請求項１〜請求項３のいずれか一項に記載の冷蔵庫。
【発明の詳細な説明】
【技術分野】
【０００１】
本発明は、冷蔵庫に関するものである。
【背景技術】
【０００２】
近年、２Ｌサイズ及び１．５Ｌサイズ等の大型ペットボトル入り飲料が普及している。大型ペットボトル入り飲料の種類はお茶や清涼飲料水等、多岐に渡っている。このため、冷蔵庫に求められる大型ペットボトルの収納本数は増加傾向にある。通常、大型ペットボトルは、冷蔵室の扉の内面に設けられたポケットに立てて収納される。ポケットに収納しきれない大型ペットボトルは、冷蔵室内の棚に寝かせて収納されることがある。しかしながら、大型ペットボトルが寝かせて収納されると、当該大型ペットボトルの出し入れが困難になったり、当該大型ペットボトルのラベルの確認が困難になったり、あるいは、キャップの締まり具合によっては内容物が漏れてしまうおそれがある。
【０００３】
特許文献１には、野菜室を備えた冷蔵庫が記載されている。野菜室内には、下部に配置された第一の収納容器と、上奥部に配置された第二の収納容器とが備えられている。第一の収納容器の手前側には、上下方向に長い収納空間が形成されている。この収納空間には、大型ペットボトルを立てて収納できるようになっている。
【先行技術文献】
【特許文献】
【０００４】
【特許文献１】特開２０１０−９１２４９号公報（図５等）
【発明の概要】
【発明が解決しようとする課題】
【０００５】
一般に、冷蔵庫内の湿気は庫内を循環し、霜として冷却器に付着するため、冷蔵庫内は乾燥しがちである。このため、野菜室には、空気の循環を抑えて野菜等の乾燥を防ぐために、所定の密閉度で内部を密閉する収納容器（野菜室ケース）が設けられている。しかしながら、特許文献１の冷蔵庫では、特に大型ペットボトルを収納しない場合、第一の収納容器と第二の収納容器との間の開口面積が大きくなり、第一の収納容器の密閉度が低くなってしまう。このため、第一の収納容器内の空気が循環しやすくなるため、第一の収納容器内に収納される野菜等が乾燥しやすくなってしまうという問題点があった。
【０００６】
本発明は、上述のような問題点を解決するためになされたものであり、野菜等の乾燥を防ぎつつ収納性も確保できる野菜室を備えた冷蔵庫を提供することを目的とする。
【課題を解決するための手段】
【０００７】
本発明に係る冷蔵庫は、前面を開口した断熱箱体内に設けられた野菜室と、前記野菜室に配置される野菜室ケースと、を備え、前記野菜室ケースは、上面が開口された下段ケースと、前記下段ケース上の一部に重ねられる上段ケースと、を有しており、前記下段ケースは、重ねられた前記上段ケースにより上面が閉塞される奥側空間と、前記奥側空間の前面側に位置し、重ねられた前記上段ケースにより上面が閉塞されず当該上面に開口部が形成される手前側空間と、を備えており、前記上段ケースには、前記開口部を開閉する蓋が取り付けられていることを特徴とするものである。
【発明の効果】
【０００８】
本発明によれば、蓋を開けることにより、大型ペットボトル等の背の高い収納物を開口部を介して手前側空間に出し入れすることができ、背の高い収納物を手前側空間に立てて収納することができる。これにより、高い収納性を確保することができる。また、蓋を閉めることにより、大型ペットボトル等を収納していないときでも、下段ケースの手前側空間及び奥側空間を所定の密閉度で密閉することができる。これにより、下段ケース内の収納物に直接冷気が当たることを防ぐことができ、下段ケース内の野菜等の乾燥を防ぐことができる。
【図面の簡単な説明】
【０００９】
【図１】本発明の実施の形態１に係る冷蔵庫１の概略の全体構成を示す斜視図である。
【図２】本発明の実施の形態１に係る冷蔵庫１の野菜室ケース２０の概略構成を示す斜視図である。
【図３】本発明の実施の形態１に係る冷蔵庫１の野菜室ケース２０の蓋４２を開けて大型ペットボトル５０を収納した状態を示す斜視図である。
【図４】本発明の実施の形態１に係る冷蔵庫１の野菜室ケース２０に大型ペットボトル５０を収納して蓋４２を閉めた状態を示す側断面図である。
【図５】本発明の実施の形態１の変形例における野菜室ケース２０の下段ケース３０の構成を示す上面図である。
【図６】本発明の実施の形態１の変形例における野菜室ケース２０の蓋４２を開けて大型ペットボトル５０を収納した状態を示す斜視図である。
【図７】本発明の実施の形態２に係る冷蔵庫の野菜室ケース６０の概略構成を示す斜視図である。
【図８】本発明の実施の形態２に係る冷蔵庫の野菜室ケース６０の構成を示す側断面図である。
【図９】本発明の実施の形態２に係る冷蔵庫の野菜室ケース６０に大型ペットボトル５０を収納した状態を示す側断面図である。
【図１０】図９のＸ−Ｘ断面を示す断面図である。
【発明を実施するための形態】
【００１０】
実施の形態１．
本発明の実施の形態１に係る冷蔵庫について説明する。図１は、本実施の形態に係る冷蔵庫１の概略の全体構成を示す斜視図である。なお、図１を含む以下の図面では、各構成部材の寸法の関係や形状等が実際のものとは異なる場合がある。また、明細書中における各構成部材同士の位置関係（例えば、上下関係等）は、原則として、冷蔵庫１を使用可能な状態に設置したときのものである。
【００１１】
図１に示すように、冷蔵庫１は、前面（正面）が開口された断熱箱体１０を有している。断熱箱体１０の外郭は、鋼鉄製の外箱１１と、樹脂製の内箱１２と、により形成されている。外箱１１と内箱１２との間の空間には、発泡断熱材が充填されている。外箱１１及び内箱１２は、充填された発泡断熱材によって互いに結合されている。内箱１２の内部は、複数の仕切りにより、ユーザーの利用形態に合わせて保冷温度帯の異なる複数の部屋（本例では、冷蔵室１３、製氷室１４、切替室１５、冷凍室１６、野菜室１７）に区画されている。
【００１２】
本例では、冷蔵室１３の前面側の開口部には回転式の扉が設けられており、それ以外の部屋の前面側の開口部には引出し式の扉が設けられている。これらの複数の部屋のうち、野菜室１７は、他の部屋と比較して保冷温度帯が高く、床面の断熱材厚さを薄くできることなどから、主に冷蔵庫１の最下段に設けられる。ただし、野菜室１７が冷蔵庫１の最下段以外に設けられていてもよい。
【００１３】
野菜室１７の前面側の開口部には、引出し式の扉１８が設けられている。扉１８の裏面側には、扉１８に対して垂直に突出した一対の扉フレーム１９が設けられている。扉フレーム１９は、野菜室１７の左右側面の内箱１２に水平に形成されたレール（図示せず）に対してスライド可能に係合している。扉１８は、扉フレーム１９とレールとをスライドさせることにより、冷蔵庫１の奥行方向（前後方向）に開閉できるようになっている。
【００１４】
野菜室１７内には、例えば樹脂製の野菜室ケース２０が配置される。野菜室ケース２０は、扉フレーム１９によって支持されており、扉１８の開閉に連動して前後方向にスライドする。野菜室ケース２０には、野菜等の生鮮食品や、大型ペットボトル等が収納できるようになっている。
【００１５】
図２は、野菜室ケース２０の概略構成を示す斜視図である。図３は、野菜室ケース２０の蓋４２を開けて大型ペットボトル５０を収納した状態を示す斜視図である。図４は、野菜室ケース２０に大型ペットボトル５０を収納して蓋４２を閉めた状態を示す側断面図である。図２〜図４に示すように、野菜室ケース２０は、下段ケース３０と、下段ケース３０上の一部に重なって配置され、下段ケース３０に対し前後方向に摺動自在な上段ケース４０と、を有している。本例の野菜室ケース２０は、下段ケース３０及び上段ケース４０が上下２段に重なった構成を有しているが、野菜室ケース２０は、ケースが３段以上に重なった構成を有していてもよい。例えば、図２〜図４に示す構成において、上段ケース４０のさらに上段に別のケースが重なっていてもよいし、上段ケース４０と下段ケース３０との間に別のケースが重なっていてもよいし、下段ケース３０のさらに下段に別のケースが重なっていてもよい。
【００１６】
下段ケース３０は、上面が開口された比較的深底の容器であり、大型の野菜や大型ペットボトル５０等の大きめの収納物を収納可能である。下段ケース３０は、略長方形状の底面部３０ａと、底面部３０ａの周囲に設けられた４つの側面部（手前側側面部３０ｂ、右側側面部３０ｃ、奥側側面部３０ｄ、左側側面部３０ｅ）と、を有している。
【００１７】
下段ケース３０の底面部３０ａには、下段ケース３０と一体成形されて底面部３０ａから上方に突出したリブ３１が設けられている。リブ３１は、底面部３０ａを幅方向（左右方向）に横断して全幅に亘って形成されている。これにより、下段ケース３０内の収納空間は、冷蔵庫１の前面側に位置する手前側空間３２と、手前側空間３２よりも奥側に位置する奥側空間３３と、に区画されている。リブ３１の底面部３０ａからの高さは、下段ケース３０全体の深さよりも十分に低くなっている。これにより、手前側空間３２及び奥側空間３３は、リブ３１上方の空間を介して互いに連通している。本例では、手前側空間３２には大型ペットボトル５０（例えば、２Ｌサイズ）を立てて収納することが想定されているため、手前側空間３２の前後方向（奥行方向）の長さは１２５ｍｍ程度である。奥側空間３３には、大型の野菜等が収納されるようになっている。
【００１８】
上段ケース４０は、下段ケース３０と比較して浅底に形成された容器であり、果物等の小さめの食品の収納に適している。上段ケース４０の左右方向の長さは下段ケース３０の左右方向の長さとほぼ同等であるが、上段ケース４０の前後方向の長さは下段ケース３０の前後方向の長さよりも短くなっている。上段ケース４０は、下段ケース３０の上面開口の一部（本例では、奥側空間３３上方の開口部）を塞ぐ蓋として機能する。本例の上段ケース４０は、下段ケース３０内の収納物を視認できるように、透明な樹脂により形成されている。
【００１９】
上段ケース４０は、略長方形状の底面部４０ａと、底面部４０ａの周囲に設けられた４つの側面部（手前側側面部４０ｂ、右側側面部４０ｃ、奥側側面部４０ｄ、左側側面部４０ｅ）と、を有している。上段ケース４０は、下段ケース３０上に重ねられた状態において、奥側空間３３の上方には配置されているが、手前側空間３２の上方には配置されていない。すなわち、上段ケース４０が下段ケース３０上に重ねられた状態では、奥側空間３３の上面が上段ケース４０により閉塞されるとともに、手前側空間３２の上方には、上段ケース４０と下段ケース３０との前後方向における寸法差により開口部４１が形成される。手前側空間３２の上方に開口部４１が形成されることにより、手前側空間３２には、大型ペットボトル５０、紙パック飲料、背の高い葉物野菜等の収納物を立てて収納することができる。また、手前側空間３２に収納される収納物は、開口部４１の開口端近傍やリブ３１等によって支持することができる。このため、大型ペットボトル５０等の自立可能な収納物だけでなく、背の高い葉物野菜等の自立困難な収納物を立てて収納することも可能である。
【００２０】
上段ケース４０の手前側側面部４０ｂには、開口部４１を開閉する回転式の蓋４２が取り付けられている。蓋４２の回転軸４２ａは、手前側側面部４０ｂの上縁部に沿って左右方向に延伸して設けられている。蓋４２は、ユーザーの手で自由に開閉可能である。本例の蓋４２は、上段ケース４０の底面部４０ａよりも高い位置に天井面を有している。これにより、蓋４２は、下段ケース３０の手前側空間３２に大型ペットボトル５０等を収納した状態で閉めることができるようになっている。
【００２１】
下段ケース３０は、扉フレーム１９上に積載されており、扉１８の開閉に連動して前後方向にスライドする構造となっている。上段ケース４０は、通常は下段ケース３０により支持されており、下段ケース３０と共に前後方向に移動する。ただし、上段ケース４０は、下段ケース３０に対して前後方向に摺動可能である。したがって、下段ケース３０の奥側空間３３内に収納物を出し入れする際には、下段ケース３０を引き出したまま上段ケース４０のみを冷蔵庫１内に押し戻すことができる。このとき、下段ケース３０上に載せられていた上段ケース４０は、野菜室１７の左右側面の内箱１２に水平に形成されたレール上に載り、当該レールによって支持される。
【００２２】
以上の構成を有する冷蔵庫１では、野菜室１７の扉１８が引き出されると、野菜室ケース２０（下段ケース３０及び上段ケース４０）が連動して引き出される。この状態で蓋４２を開けることにより、大型ペットボトル５０や背の高い葉物野菜等を開口部４１を介して手前側空間３２に出し入れすることができる。また、出し入れ終了後に蓋４２を閉めることにより、下段ケース３０の手前側空間３２及び奥側空間３３を所定の密閉度で密閉することができる。これにより、手前側空間３２及び奥側空間３３において、野菜等の乾燥の原因となる冷気の循環を防ぐことができる。手前側空間３２及び奥側空間３３は、下段ケース３０の各壁面（底面部３０ａ、手前側側面部３０ｂ、右側側面部３０ｃ、奥側側面部３０ｄ、左側側面部３０ｅ等）を介した熱移動により冷却される。また、下段ケース３０及び上段ケース４０が引き出された状態から上段ケース４０のみを冷蔵庫１内に押し戻すことにより、大型の野菜等を奥側空間３３に出し入れすることができる。
【００２３】
以上説明したように、本実施の形態に係る冷蔵庫１は、前面を開口した断熱箱体１０内に設けられた野菜室１７と、野菜室１７に配置される野菜室ケース２０と、を備え、野菜室ケース２０は、上面が開口された下段ケース３０と、下段ケース３０上の一部に重ねられる上段ケース４０と、を有しており、下段ケース３０は、重ねられた上段ケース４０により上面が閉塞される奥側空間３３と、奥側空間３３の前面側に位置し、重ねられた上段ケース４０により上面が閉塞されず当該上面に開口部４１が形成される手前側空間３２と、を備えており、上段ケース４０には、開口部４１を開閉する蓋４２が取り付けられていることを特徴とするものである。
【００２４】
この構成によれば、蓋４２を開けることにより、大型ペットボトル５０等を開口部４１を介して手前側空間３２に出し入れすることができ、大型ペットボトル５０等を手前側空間３２に立てて収納することができる。これにより、高い収納性を確保することができる。また、蓋４２を閉めることにより、大型ペットボトル５０等を収納していないときでも、下段ケース３０の手前側空間３２及び奥側空間３３を所定の密閉度で密閉することができる。これにより、下段ケース３０内の収納物に直接冷気が当たることを防ぐことができる。したがって、下段ケース３０内の野菜等の乾燥を防ぐことができ、野菜等の潤いを奪うことなく、食品の鮮度を維持して保存することができる。さらに、蓋４２を閉めることにより、扉１８の開閉時に下段ケース３０内の冷気が庫外に流出することを防ぐこともできる。したがって、冷蔵庫１の省エネルギー性を向上させることができる。
【００２５】
また、本実施の形態に係る冷蔵庫１は、奥側空間３３と手前側空間３２との間は、下段ケース３０と一体成形され下段ケース３０の底面部３０ａに設けられたリブ３１によって区画されていることを特徴とするものである。
【００２６】
この構成によれば、手前側空間３２に立てて収納された大型ペットボトル５０等の収納物をリブ３１によって支持することができるため、収納物の転倒を防止することができる。また、手前側空間３２に収納された収納物をリブ３１によって支持することができるため、大型ペットボトル５０等の自立可能な収納物だけでなく、白菜等の自立困難な収納物を立てて収納することができる。さらに、リブ３１は下段ケース３０の強度にも寄与している。これにより、大型ペットボトル５０のような重量物を収納する場合であっても、下段ケース３０の変形や破損を防ぐことができる。したがって、冷蔵庫１の耐久性を向上させることができる。また、リブ３１を設けることにより、所定の強度を維持しつつ下段ケース３０の肉厚を減らすことができる。したがって、冷蔵庫１の材料コストを低減することができる。
【００２７】
次に、本実施の形態に係る野菜室ケース２０の変形例について説明する。図５は、本変形例における野菜室ケース２０の下段ケース３０の構成を示す上面図である。図６は、本変形例における野菜室ケース２０の蓋４２を開けて大型ペットボトル５０を収納した状態を示す斜視図である。図２〜図４等に示した野菜室ケース２０では、開口部４１及び蓋４２が野菜室ケース２０のほぼ全幅に亘って設けられているのに対し、図５及び図６に示す本変形例の野菜室ケース２０では、開口部４１及び蓋４２が野菜室ケース２０の左右方向の一部にのみ設けられている。
【００２８】
図５に示すように、下段ケース３０の底面部３０ａには、左右方向の全幅に亘って設けられたリブ３１と、下段ケース３０の手前側側面部３０ｂからリブ３１に対して垂直な方向（前後方向）に延び、リブ３１にＴ字状に接続されたリブ３４と、が設けられている。リブ３４は、リブ３１と同様に下段ケース３０と一体成型され、底面部３０ａから上方に突出して設けられている。リブ３４の底面部３０ａからの高さは、リブ３１の底面部３０ａからの高さと同等又はそれより低くなっている。下段ケース３０の手前側空間３２（リブ３１より手前側の空間）は、リブ３４によって手前右側空間３５と手前左側空間３６とに区画されている。
【００２９】
リブ３４の左右方向の位置は、設計意図により任意の位置とすることができる。本例では、ユーザーの使用形態として野菜室ケース２０内には大型ペットボトル５０（例えば、２Ｌサイズ）を２本収納することが多いことから、手前右側空間３５又は手前左側空間３６（本例では、手前右側空間３５）の左右方向の幅が２０２ｍｍ程度となる位置にリブ３４を設けている。
【００３０】
図６に示すように、上段ケース４０の底面部４０ａは、下段ケース３０の奥側空間３３及び手前左側空間３６上を塞ぎ、手前右側空間３５上に逃がしが設けられた平面形状を有している。すなわち、上段ケース４０が下段ケース３０上に重ねられた状態では、奥側空間３３及び手前左側空間３６の上面が上段ケース４０により閉塞されるとともに、手前右側空間３５の上方には開口部４１が形成される。上段ケース４０の底面部４０ａと開口部４１との間は、開口部４１の後方に設けられた壁面部４０ｆと、開口部４１の左方に設けられた壁面部４０ｇとによって仕切られている。
【００３１】
壁面部４０ｆには、開口部４１を開閉する回転式の蓋４２が取り付けられている。蓋４２の回転軸は、壁面部４０ｆの上縁部に沿って左右方向に延伸して設けられている。蓋４２は、ユーザーの手で自由に開閉可能である。本例の蓋４２は、上段ケース４０の底面部４０ａよりも高い位置に天井面を有している。これにより、蓋４２は、下段ケース３０の手前右側空間３５に大型ペットボトル５０等を収納した状態で閉めることができるようになっている。
【００３２】
本変形例では、開口部４１が左右方向の一部のみに形成されているため、図２〜図４等に示した構成と比較して、上段ケース４０の収納容積を増やすことができる。また、本変形例では、リブ３１及びリブ３４がＴ字状に接続されているため、下段ケース３０の強度をさらに高めることができる。
【００３３】
実施の形態２．
本発明の実施の形態２に係る冷蔵庫について説明する。図７は、本実施の形態に係る冷蔵庫の野菜室ケース６０の概略構成を示す斜視図である。図８は、野菜室ケース６０の構成を示す側断面図である。図９は、野菜室ケース６０に大型ペットボトル５０を収納した状態を示す側断面図である。図１０（ａ）は、図９のＸ−Ｘ断面を示す断面図である。図１０（ｂ）は、図１０（ａ）のＡ部を拡大して示す図である。なお、実施の形態１と同一の機能及び作用を有する構成要素については、同一の符号を付してその説明を省略する。
【００３４】
図７〜図１０に示すように、本実施の形態の野菜室ケース６０は、前後方向の長さが下段ケース３０よりも短く、手前側に開口部７１を形成する上段ケース７０と、上段ケース７０に対して前後方向にスライド可能（摺動可能）に取り付けられ、開口部７１を開閉する蓋７２と、を有している。蓋７２は、上段ケース７０と共に、上面が開口した浅底容器を構成する。見方を変えると、浅底容器を構成する上段ケース（上段ケース７０及び蓋７２）は、下段ケース３０と同等の前後方向の長さを有し、前後方向で２部品に分割されている。上段ケースの前方側部品（蓋７２）は、後方側部品（上段ケース７０）に対して前後方向に摺動可能に構成されている。前方側部品（蓋７２）が後方側部品（上段ケース７０）に対して前後方向に摺動することにより、上段ケース（上段ケース７０及び蓋７２）の前後方向の長さが可変するようになっている。
【００３５】
上段ケース７０は、略長方形状の底面部７０ａと、底面部７０ａの周囲の三方（後方及び左右側方）に設けられた３つの側面部（右側側面部７０ｂ、奥側側面部７０ｃ、左側側面部７０ｄ）と、を有している。上段ケース７０が下段ケース３０上に重ねられた状態において、下段ケース３０の奥側空間３３の上面が上段ケース７０により閉塞されるとともに、下段ケース３０の手前側空間３２の上方には、上段ケース７０と下段ケース３０の前後方向における寸法差により開口部７１が形成される。上段ケース７０の右側側面部７０ｂ及び左側側面部７０ｄの上縁部には、それぞれ、略水平方向外側に突出した突出部７０ｂ２、７０ｄ２が形成されている（図１０（ａ）、（ｂ）参照）。
【００３６】
蓋７２は、略長方形状の底面部７２ａと、底面部７２ａの周囲の三方（前方及び左右側方）に設けられた３つの側面部（右側側面部７２ｂ、手前側側面部７２ｃ、左側側面部７２ｄ）と、を有している。蓋７２の底面部７２ａ、右側側面部７２ｂ及び左側側面部７２ｄは、上段ケース７０の底面部７０ａ、右側側面部７２ｂ及び左側側面部７２ｄのそれぞれ外壁面に沿って配置されている。蓋７２の右側側面部７２ｂ及び左側側面部７０ｄの上縁部は、それぞれ、突出部７０ｂ２、７０ｄ２を外側からくわえ込む形状（抱持形状）を有している。これにより、蓋７２の底面部７２ａ、右側側面部７２ｂ及び左側側面部７２ｄは、上段ケース７０の底面部７０ａ、右側側面部７２ｂ及び左側側面部７２ｄのそれぞれ外壁面に沿って、前後方向に摺動するようになっている。蓋７２は、上段ケース７０に対して後方側に摺動すると、手前側側面部７２ｃが上段ケース７０の底面部７０ａに突き当たる位置まで移動する。蓋７２が後方側に摺動すると、下段ケース３０の手前側空間３２の上面部が開口され、開口部７１が形成される。
【００３７】
以上説明したように、本実施の形態に係る冷蔵庫は、蓋７２が、上段ケース７０に対して前後方向にスライド可能であり、上段ケース７０と共に、上面が開口された容器を構成することを特徴とするものである。
【００３８】
この構成によれば、実施の形態１と同様の効果が得られるとともに、大型ペットボトル５０等の背の高い収納物を手前側空間３２に収納しない場合、上段ケース（上段ケース７０及び蓋７２）の収納容積を増やすことができる。なお、本例では、大型ペットボトル５０を手前側空間３２に収納した場合、蓋７２が閉められない構成となっている。しかしながら、大型ペットボトル５０が手前側空間３２に収納された場合には、当該大型ペットボトル５０により開口部７１の開口面積が減少するため、野菜等の乾燥の原因となる冷気の循環を抑制することができる。もちろん、大型ペットボトル５０を手前側空間３２に収納した場合にも、蓋７２が閉められる構成であってもよい。
【００３９】
その他の実施の形態．
本発明は、上記実施の形態に限らず種々の変形が可能である。
例えば、上記実施の形態１では、開口部４１を開閉する蓋４２として回転式の蓋４２を例に挙げたが、蓋４２はスライド式であってもよい。
【００４０】
また、上記実施の形態２では、開口部７１及び蓋７２が野菜室ケース６０の全幅に亘って設けられた例を挙げたが、開口部７１及び蓋７２は、野菜室ケース６０の左右方向の一部にのみ設けられていてもよい。例えば、図５及び図６等に示した構成と同様に、２本の大型ペットボトル５０を収納できるように、上段ケース７０に対して摺動可能な蓋７２（及び蓋７２により開閉される開口部７１）が２０２ｍｍ程度の幅に形成されていてもよい。
【００４１】
また、上記の各実施の形態や変形例は、互いに組み合わせて実施することが可能である。
【符号の説明】
【００４２】
１  冷蔵庫、１０  断熱箱体、１１  外箱、１２  内箱、１３  冷蔵室、１４  製氷室、１５  切替室、１６  冷凍室、１７  野菜室、１８  扉、１９  扉フレーム、２０  野菜室ケース、３０  下段ケース、３０ａ  底面部、３０ｂ  手前側側面部、３０ｃ  右側側面部、３０ｄ  奥側側面部、３０ｅ  左側側面部、３１  リブ、３２  手前側空間、３３  奥側空間、３４  リブ、３５  手前右側空間、３６  手前左側空間、４０  上段ケース、４０ａ  底面部、４０ｂ  手前側側面部、４０ｃ  右側側面部、４０ｄ  奥側側面部、４０ｅ  左側側面部、４０ｆ、４０ｇ  壁面部、４１  開口部、４２  蓋、４２ａ  回転軸、５０  大型ペットボトル、６０  野菜室ケース、７０  上段ケース、７０ａ  底面部、７０ｂ  右側側面部、７０ｂ２  突出部、７０ｃ  奥側側面部、７０ｄ  左側側面部、７０ｄ２  突出部、７１  開口部、７２  蓋、７２ａ  底面部、７２ｂ  右側側面部、７２ｃ  手前側側面部、７２ｄ  左側側面部。
【図１】
2015021693.tif 000003
【図２】
2015021693.tif 000004
【図３】
2015021693.tif 000005
【図４】
2015021693.tif 000006
【図５】
2015021693.tif 000007
【図６】
2015021693.tif 000008
【図７】
2015021693.tif 000009
【図８】
2015021693.tif 000010
【図９】
2015021693.tif 000011
【図１０】
2015021693.tif 000012